(57)【要約】【課題】  平時における上り下りがつまずきにくく安全に行われるだけでなく浸入時の水除けが確実になされることで階段を通じての避難行動が安全になされるようにした階段装置を提供することを目的とする。【解決手段】  上床と下床とを備えそれら両床間が階段でつながれるとともに階段には上床に流れ来る水が階段一側方へ流れ落ちるように構成されている階段装置において、階段の蹴込み面の前側には、流れ来る水により応動して水を階段側方へと導く側方誘導板が設けられていることを特徴とする。【選択図】図４
2018199992.tif 000002
【特許請求の範囲】
【請求項１】
上床と下床とを備えそれら両床間が階段でつながれるとともに階段には上床に流れ来る水が階段一側方へ流れ落ちるように構成されている階段装置において、階段の蹴込み面の前側には、流れ来る水により応動して水を階段側方へと導く側方誘導板が設けられていることを特徴とする階段装置。
【発明の詳細な説明】
【技術分野】
【０００１】  本発明は、階段装置に関する。
【背景技術】
【０００２】  地下鉄や地下街に至るところには、地上と地下を結ぶ階段が設けられているが、豪雨による洪水が発生したり津波が陸深く押し寄せたりした場合には、地上出入口を通じて水が流れ込み地下が浸水するおそれがある。この場合、地下に居る人々は、階段を通じて避難すればよい訳でありが、実際には階段に多量の水が流れ落ちてくるためその途中で足を掬われて流し落とされるおそれがあった。そうした危険をなくすため、例えば、特許文献１に開示の階段装置が提案されている。【０００３】
【特許文献１】特許第５６４１５７９号公報
【発明の概要】
【発明が解決しようとする課題】
【０００４】  特許文献１の階段装置は、第１の床から当該第１の床よりも高い位置にある第２の床まで延びる階段について、当該階段は、昇降方向に沿って、上り階段部と下り階段部とに区画され、前記上り階段部の路面は、当該上り階段部の路面に隣り合う下り階段部の路面よりも高い位置にあり、前記上り階段部の路面と前記下り階段部の路面との間には、段差が形成され、前記第２の床の前記上り階段部寄りの位置には、上方に突出する突部が形成され、当該突部は、前記第２の床の上の水を前記下り階段部に誘導し、前記段差は、前記下り階段部の水が前記上り階段部側に流れ込むのを防止することを特徴とするものである。
この階段装置は、上側の第２の床の上がり階段部寄りの位置に上方に突出する突部を形成して第２の床の上の水を下り階段部に誘導するようにしてあることで、大量の水が階段に流入しても、地下にいる人々が迅速に地上に避難できるようにしてあるが、突部が床から突出しているので、その階段側を介して降りようとする人にとってはつまずいて落ちてしまったり、逆に上がり階段部を利用して上がる人にとっては突部から第２床へ下がり段差状となっているため、そこでこけたりするおそれがあった。また、突部程度では上から激しく流れ落ちてくる浸入水であればそれを容易に乗り越えてしまうため上り階段部を使って上がってくる人々の避難障害にもなるものとなっていた。【０００５】  本発明は、このような問題を解決しようとするものであり、平時における上り下りがつまずきにくく安全に行われるだけでなく浸入時の水除けが確実になされることで階段を通じての避難行動が安全になされるようにした階段装置を提供することを目的とする。
【課題を解決するための手段】
【０００６】  本発明は上記目的を達成するため、請求項１に記載の発明は、上床と下床とを備えそれら両床間が階段でつながれるとともに階段には上床に流れ来る水が階段一側方へ流れ落ちるように構成されている階段装置において、階段の蹴込み面の前側には、流れ来る水により応動して水を階段側方へと導く側方誘導板が設けられていることを特徴とする。
【発明の効果】
【０００７】  上述したように本発明は、上床と下床とを備えそれら両床間が階段でつながれるとともに階段には上床に流れ来る水が階段一側方へ流れ落ちるように構成されている階段装置において、階段の蹴込み面の前側には、流れ来る水により応動して水を階段側方へと導く側方誘導板が設けられていることを特徴とするので、平時における上り下りがつまずきにくく安全に行われるだけでなく浸入時の水除けが確実になされることで階段を通じての避難行動が安全になされるようにした階段装置を提供することができる。
【図面の簡単な説明】
【０００８】
【図１】  本発明である階段装置の第１実施形態を地上手前上方からみて示す外観図。
【図２】  第２実施形態を示す断面図。
【図３】  止水板の端部の様子を示す斜視図。
【図４】  第３実施形態を示す正面図。
【図５】  図４のＶ−Ｖ線断面図。
【図６】  第４実施形態を示す斜視図。
【図７】  図６のＶＩＩ方向からの矢視図。
【図８】  付加的な提案例を示す平面図。
【図９】  図８のＩＸ−ＩＸ線断面図。
【発明を実施するための形態】
【０００９】  図１は本発明の第１実施形態を示すもので、１は路盤、２は出入躯体、３は出入り口で、この出入躯体２は地下路線駅の地上部分に形成されたもので、その出入り口３の下部には踏込ブロック５が固定設置されているが、この実施形態では、踏込ブロック５を設置して津波・洪水時の水の浸入を一定時間帯稼げるようにするだけでなく、特に、この踏込ブロック５はその左右の肩部を面取りａ、ａ付きの角型あるいは１／４円弧ｂ、ｂ付きの丸型にすることにより押し寄せる水が容易に上を乗り越えらせるのでなく左右に分離排除させながら乗り越え困難にすることで出入り口３を通じての水の浸入が少なく抑えられるようにしたものである。
【００１０】  図２および図３は本発明の第２実施形態を示す。７は路盤（上床）、８は出入躯体、９は出入り口で、出入り口３の下側には、踏込ブロック１０が路盤７から突出する形で設けられ、そのブロック１０の内側下部には斜め面取り１１が形成されるとともに、その下方盤内には斜め溝型をした昇降ガイド１２が形成されている。この昇降ガイド１２の左右両端には斜め向きのガイドレール１３が取り付けられ、これらガイドレール１３に沿って上下するようにして浮上型の止水板１５がセットされている。止水板１５を外部の水の作用で押し上げるため、踏込ブロック１０とその下の盤内には側面逆Ｌ字形をなす通水路１６が形成されている。止水板１５の上端には図３のように非常時に引き上げ操作できる持ち上げフック１７が設けられている。
【００１１】  平時は、図２に示すように、昇降ガイド１２の溝内に止水板１５が退避した状態にあるので、上り下りに影響を与えるおそれはない。外部から洪水が襲ってきた場合、通水路１６に水圧が作用することで止水板１５は図２の右上欄のようにガイドレール１３に沿って浮上させられ、その結果、洪水が踏込ブロック１０を越えてきても止水板１５によって一定時間帯止められ、さらに越流分の浸入を少なく阻止することになる。特に、踏込ブロック１０を越えてきた洪水分は止水板１５によってその左右に分けられて側方へ排除されるので上床と下床をつなぐ階段１９の幅間に相当する域において水量が少なく抑えられ、その結果、その階段１９を使用して上り避難するのが極めて容易となる。
止水板１５は、図２のように昇降駆動装置２０で積極的に駆動させるようにしてもよい。例えば、２０ａは水センサーで電動シリンダーなどの駆動部２０を駆動させることでそれに連結された止水板１５を浸入と同時に上昇駆動させることができるようにする。
尚、止水板１５は、図３の右欄に示すように、左右肩部が低く形成されていると、止水板１５が浮き上がっても左右肩部は低い高さになるので肩部につまずくようなおそれがなく安全に上り避難することができるようになる。
【００１２】  図４および図５は第３実施形態を示す。２２は路盤につながる上床、２３は地下鉄ホーム路盤につながる下床、２４は階段、２５は出入り口、２６は階段２４の左右両側に立設された手摺であり、上床２２および階段２４の左右両側部には、２０ｃｍ〜１．５ｍと次第に深くなった側溝２８，２８が傾斜状に形成され、その溝下端は下床２３内を横断するように設けた排水溝２９内に通じるように形成されている。
【００１３】  上床２２に浸入した洪水Ｘをこれら側溝２８，２８に導くため、階段２４の蹴込み面ａ前に側方誘導板３１が設けられ、この側方誘導板３１は、例えば、上から１段目、５段目、１０段目の蹴込み面ａの左右にＨ（１ｍ前後）離れて設けられた一対の個所に縦軸状に配備された回転軸部３２，３２回りに平時は蹴込み面ａ側に面するように待機させるようにされる一方、洪水Ｘからの水が上床２２上を流れ降りてきた際には水受け溝３３にそれらを流れ込ませその押し作用により誘導板３１を開かせストッパ３４により斜め開き姿勢とすることでその板手前に水が捉えられながら側溝２８，２８内に自動的に導かれるようにされているもので、これにより、階段２４の幅間に流れ落ちる水は極端に少なくなる結果、下床２３側からの上り避難が安全できるようになっている。前記Ｈは殆ど０ｍにしてより広範囲の排除を可能としたり逆に１．５ｍのように広げて排除を限定的なものにすることもできる。
【００１４】  側方誘導板３１は、平時には上り下りが突っかかりなく安全になされるようにするため、蹴込み面ａ側に平行に待機されるようにする必要がある。そのため、蹴込み面ａと側方誘導板３１との間にマグネット吸着手段を設けて一定以上の力で外され得るような設定にしたり、あるいは、回転軸部３２を斜め軸状にして側方誘導板３１が常に蹴込み面ａの方向に戻り勝手となるように構成する場合がある。回転軸部３２を斜め軸状にするとは、軸部ａの上端が蹴込み面ａ側寄りにまた下端が蹴込み面ａより離れた位置関係になるようにすることをいう。３６は流されたものを回収するための拾い揚げメッシュである。側方誘導板３１は左右に一対設けてあったが、図６のように長い１枚の板を一端片持支持式にしたものにしてもよい。
【００１５】  図６および図７は第４実施形態を示す。４０は出入り口、４１は上床、４２は下床であり、上床４１と下床４２とをつなぐ階段は左右の第１・第２階段４４，４５で、第１階段４４が上り階段で第２階段４５が下り階段専用になっているが、各階段４４，４５がそれぞれ上り下り自由兼用型とされることもある。第１階段４４と第２階段４５とは、その左右間に段差をもつものとされ、即ち、第１階段４４の例えば、上から第３段目と第２階段４５の上から第４段目とは左右の関係において同列に並ぶが前記第４段目の方が１段階下がった高さ関係になるようにされている。これにより、第１階段４４側からの洪水Ｘが第２階段４５側に流れ落ちて第１階段４４上を流れる水量が少なくなる結果第１階段４４を伝って上がり避難することができるようになっている。
【００１６】  第２階段４５上に洪水Ｘがより確実に流れ落ちるようにするため、回転軸部４７で支持された側方誘導板４８を蹴込み面ａ前に片持支持式に備え付けてある。４９は水受け溝で、ストッパは手摺５０の支持ポール５１で兼用してある。この側方誘導板４８は、図６の左上欄に示すように、左右一対型にしてもよい。５２はストッパである。側方誘導板４８はマグネット仮固定式にしたり、前記傾斜支持軸方式にしたりする。
【００１７】  図６およびその左上欄の側方誘導板４８は、上から１段目に設置されたものとして例示されているが、他の段目に設けることもでき、また、上から１段目と５段目のように上下２段に分けて配備したり、さらに８段目を加えた上下３段に分けて配備したりするように、複数の段目に亘って併設するようにしてもよい。
前記実施形態では、階段は左右２列でもって形成されていたが、向かって左端のものが高い側でその右側さらに右端が次第に低い側となった３列組の階段にしてもよく、また左右中央が高い側でその左右に隣り合う列が低い側となるように配備してもよい。
【００１８】  尚、側方誘導板４８が設けられていない場合あるいは側方誘導板４８は設けられているがそれでもなお洪水量が多すぎて第１階段４４を通じて登り避難できないような場合を想定して、図７に示すようなラセン階段式の避難装置５５を下床４２に設置して渡り廊下５６を通じて高所の非常避難部５７から外部に避難できるように構成してもよい。
【００１９】  図８および図９は付加的な提案例を示すもので、６０は簡易設置水槽枠で、複数本のコーナー柱材６１…とそれら柱材６１間をつなぐ上下複数本の横桟材６２…とを使用して一定高さの枠体面をもつ平面矩形の枠体となるように形成したもので、その底面６３と立面などはブルーシートと樹脂面板で簡易貯水型に形成するとともに、この簡易設置水槽枠６０内は一方が広い側ａとして他方が狭い側ｂとなるように区画枠６４によって分けられている。６２ａは枠ブラケットである。
広い側ａ内には、従来から実施されてきた上り階段６６と背部水槽（水圧発生手段）６７および戸枠６９付き開閉扉６８とからなる洪水用の水圧実体験（デモ）装置７０が設置されており、この装置７０の背部水槽６７には消火用走行車両７２が用意されて吐水側ジョイント７３に接続された吐水ホース７４からの水が供給されるようになっており、また広い側ａ内に溜まる水は吸水側ジョイント７５に接続された吸水ホース７６を通じて該車両７２に還流されるようになっている。７９は切換バルブで、水圧実体験装置７０を使用するときと擬似洪水Ｙのための吐水を行うときの水路切換に使われる。
【００２０】  ここでは、水圧実体験装置７０が設置されるこうした体験設備に該装置７０のみでなくさらに別の体験もできるように構成したもので、簡易設置水槽枠６０の一側に区画枠６４により幅が１ｍ程度で長さが７〜１０ｍ前後の細長通路型の狭い側ｂを作り、この狭い側ｂの前後に吐水ポンプ７７と吸水ポンプ７８を設置するとともに吐水ポンプ７７に前記吐水ホース７４をまた吸水ポンプ７８に吸水ホース７６を接続して車両７２を定置駆動することにより擬似洪水Ｙを発生させることができるようにしてある。この洪水Ｙが発生することによりそこに入って洪水Ｙに対抗して前進してみるようにすれば津波や洪水Ｙの流れ程度による進行の困難度を実体験することができるようになっている。
【符号の説明】
【００２１】  ２２，４１…上床  ２３，４２…下床  ２４，４４，４５…階段  ２５，４０…出入り口  ３１，４８…側方誘導板  ３２，４７…回転軸部。
【図１】
2018199992.tif 000003
【図２】
2018199992.tif 000004
【図３】
2018199992.tif 000005
【図４】
2018199992.tif 000006
【図５】
2018199992.tif 000007
【図６】
2018199992.tif 000008
【図７】
2018199992.tif 000009
【図８】
2018199992.tif 000010
【図９】
2018199992.tif 000011